(57)【要約】【課題】中央鏡が左右両方に開閉可能な洗面化粧台を提供する。【解決手段】化粧台本体１０は、その中央に収納スペースとして機能する中央凹部２５を有する。中央凹部２５の前面は、中央鏡１５が装着された前扉２８と物品を収納可能な枠体からなる後扉３０とからなる中央鏡ブロック２６で、開閉可能に覆われている。前扉２８を開けて後扉３０から離反させることにより、後扉３０の前面側から後扉３０の内部に載置された物品３８を出し入れすることができる（矢印Ａ）。後扉３０を開けて化粧台本体１０から離反させることにより、後扉３０の背面側から後扉３０の内部に載置された物品３８を出し入れすることができ（矢印Ｂ）、且つ中央凹部２５に収納された物品３９を出し入れすることができる（矢印Ｃ）。中央鏡１５に装着された曇り止め用の熱電線につながる配線３７がヒンジ１２，１３の近傍を沿うように設けられている。【選択図】図４
2008200411.tif 000002
【特許請求の範囲】
【請求項１】
洗面台と、中央鏡および左右のサイド鏡を有する化粧台とを備える洗面化粧台であって、前記化粧台は、中央部に物品を収納可能な凹部が設けられた化粧台本体と、凹部を覆う中央鏡ブロックとを有し、前記中央鏡ブロックは、前面に前記中央鏡が装着された前扉と、枠体からなる後扉とから構成され、前扉の一方の背面端部は後扉の一方の前面端部にヒンジを介して連結され、後扉の前扉と連結されている側とは反対側の背面端部は化粧台本体にヒンジを介して連結され、後扉が前記凹部を開閉可能に覆う構成とされたことを特徴とする洗面化粧台。
【請求項２】
前記後扉は、内側に物品を収納可能な枠体からなることを特徴とする請求項１に記載の洗面化粧台。
【請求項３】
洗面台と、中央鏡および左右のサイド鏡を有する化粧台とを備える洗面化粧台であって、前記化粧台は、中央部に物品を収納可能な凹部が設けられた化粧台本体と、凹部を覆う中央鏡ブロックとを有し、前記中央鏡ブロックは、前面に前記中央鏡が装着された前扉と、前扉側と化粧台本体側のいずれか一方が開放した箱体からなる後扉とから構成され、前扉の一方の背面端部は後扉の一方の前面端部にヒンジを介して連結され、後扉の前扉と連結されている側とは反対側の背面端部は化粧台本体にヒンジを介して連結され、後扉が前記凹部を開閉可能に覆う構成とされたことを特徴とする洗面化粧台。
【請求項４】
前記中央鏡に曇り止め用の発熱線が装着されていることを特徴とする請求項１〜３のいずれか１項に記載の洗面化粧台。
【請求項５】
前記発熱線につながる配線は、前記ヒンジの近傍に沿って設けられていることを特徴とする請求項１〜４のいずれか１項に記載の洗面化粧台。
【請求項６】
前記中央鏡の上部に照明装置が装着され、当該照明装置が前扉と共に移動可能であることを特徴とする請求項１〜５のいずれか１項に記載の洗面化粧台。
【発明の詳細な説明】
【技術分野】
【０００１】
本発明は洗面化粧台に関し、さらに詳細には、中央鏡および左右のサイド鏡を備え、中央鏡が左右両方に開閉可能な洗面化粧台に関する。
【背景技術】
【０００２】
従来より、中央鏡と左右のサイド鏡とからなる三面鏡を備えた洗面化粧台が広く普及している。三面鏡を備える洗面化粧台においては、左右のサイド鏡の奥に凹部からなる収納スペースが設けられていることが多い。この場合には、左右のサイド鏡は化粧台本体に対して開閉可能に取り付けられ、凹部を覆うことができる構成となっている。
【０００３】
中央鏡の部分に関しても、その奥に収納スペースが設けることができる。例えば特許文献１には、中央鏡の奥にも収納スペースが設けられており、かつその収納スペースの奥行きが、サイド鏡奥の収納スペースの奥行きよりも長い洗面化粧台が開示されている。
【特許文献１】特開２００３−２３５６５５号公報
【発明の開示】
【発明が解決しようとする課題】
【０００４】
三面鏡を備える洗面化粧台においては、設置場所に柔軟に対応したいという観点から、サイド鏡について左右両方から開閉できる構造のものが多く採用されている。一方、中央鏡についてはその開閉方向が一方向に限定されており、左右両方に開閉可能な構成は一般に採用されていない。特許文献１に開示された洗面化粧台においても、中央鏡の左側端部がヒンジを介して化粧台本体に連結されており、中央鏡の右側端部を手前又は奥に動かすことにより開閉する。すなわち、中央鏡の開閉方向は一方向である。
【０００５】
これは、中央鏡には曇り止め用の発熱線を装着することが多く、そのための配線が必要となることに主に起因している。すなわち、配線はヒンジ側（吊り元）から装着することが好ましいので、中央鏡の吊り元を左右のどちらか一方に固定する必要がある。その結果、吊り元が一方に固定されない左右両方から開閉可能とした構造を、そのまま中央鏡に適用することは難しい。
【０００６】
しかし、中央鏡についても左右両側から開閉できれば、その奥の収納スペースへのアクセスが容易となり、かつ中央鏡がなす角度の自由度が高くなり使い勝手も向上する。本発明の目的は、中央鏡が左右両方に開閉可能でありながら熱電線用の配線が容易であり、中央鏡の奥に設けた収納スペースへのアクセスも容易な、使い勝手のよい洗面化粧台を提供することにある。
【課題を解決するための手段】
【０００７】
上記した課題を解決するための請求項１に記載の発明は、洗面台と、中央鏡および左右のサイド鏡を有する化粧台とを備える洗面化粧台であって、前記化粧台は、中央部に物品を収納可能な凹部が設けられた化粧台本体と、凹部を覆う中央鏡ブロックとを有し、前記中央鏡ブロックは、前面に前記中央鏡が装着された前扉と、枠体からなる後扉とから構成され、前扉の一方の背面端部は後扉の一方の前面端部にヒンジを介して連結され、後扉の前扉と連結されている側とは反対側の背面端部は化粧台本体にヒンジを介して連結され、後扉が前記凹部を開閉可能に覆う構成とされたことを特徴とする洗面化粧台である。
【０００８】
本発明の洗面化粧台は、前扉と後扉とから構成される中央鏡ブロックを備えており、当該中央鏡ブロックが化粧台本体に設けられた物品を収納可能な凹部を覆っている。そして、前扉の一方の背面端部が後扉の一方の前面端部にヒンジを介して連結され、且つ後扉の前扉と連結されている側とは反対側の背面端部が化粧台本体にヒンジを介して連結されているので、前扉の前面に装着された中央鏡の角度を自在に変えることができる。さらに、前扉と後扉とを上記のような構成で連結しているので、電熱線の配線が容易である。またさらに、後扉が枠体からなるので、中央鏡ブロックを左右どちらから開けても化粧台本体の凹部あるいは枠体内部（後扉内部）にアクセスすることができ、使い勝手が極めてよい。
【０００９】
請求項２に記載の発明は、請求項１に記載の洗面化粧台において、前記後扉は、内側に物品を収納可能な枠体からなることを特徴とする。
【００１０】
本発明の洗面化粧台では、中央鏡の後扉内部にも物品を収納できるので、収納力に優れる。さらに、中央鏡ブロックを左右どちらから開けても物品を収納可能な後扉内部にアクセスすることができ、使い勝手がさらによい。
【００１１】
請求項３に記載の発明は、洗面台と、中央鏡および左右のサイド鏡を有する化粧台とを備える洗面化粧台であって、前記化粧台は、中央部に物品を収納可能な凹部が設けられた化粧台本体と、凹部を覆う中央鏡ブロックとを有し、前記中央鏡ブロックは、前面に前記中央鏡が装着された前扉と、前扉側と化粧台本体側のいずれか一方が開放した箱体からなる後扉とから構成され、前扉の一方の背面端部は後扉の一方の前面端部にヒンジを介して連結され、後扉の前扉と連結されている側とは反対側の背面端部は化粧台本体にヒンジを介して連結され、後扉が前記凹部を開閉可能に覆う構成とされたことを特徴とする洗面化粧台である。
【００１２】
本発明の洗面化粧台では、後扉が、前扉側と化粧台本体側のいずれか一方が開放した箱体からなる。かかる構成により、後扉の内部（箱体内部）にも物品を収納でき、収納力に優れる。さらに、後扉が箱体であり、前扉側と化粧台本体側のいずれかは閉塞しているので、物品をより安定に収納することができる。
【００１３】
請求項４に記載の発明は、請求項１〜３のいずれかに記載の洗面化粧台において、前記中央鏡に曇り止め用の発熱線が装着されていることを特徴とする。
【００１４】
かかる構成により、中央鏡が左右両方から開閉可能な構造を有しながら、中央鏡の曇りを防止する機能を備えた洗面化粧台が提供される。
【００１５】
請求項５に記載の発明は、請求項１〜４のいずれか１項に記載の洗面化粧台において、前記発熱線につながる配線は、前記ヒンジの近傍に沿って設けられていることを特徴とする。
【００１６】
かかる構成により、配線の設置が前扉と後扉の開閉方向に影響されることなく容易に行える。
【００１７】
請求項６に記載の発明は、請求項１〜５のいずれか１項に記載の洗面化粧台において、前記中央鏡の上部に照明装置が装着され、当該照明装置が前扉と共に移動可能であることを特徴とする。
【００１８】
かかる構成により、中央鏡の角度に関わらず使用者の下へ確実に明かりを照らすことができ、さらに使い勝手がよい。
【発明の効果】
【００１９】
本発明によれば、中央鏡が左右両方に開閉可能でありながら熱電線用の配線が容易であり、奥に収納スペースを設けた場合の収納スペースへのアクセスも容易な、使い勝手のよい洗面化粧台が提供される。
【発明を実施するための最良の形態】
【００２０】
以下、本発明の実施形態について説明する。なお、以下の説明において、上下、左右、手前・奥は洗面化粧台の正面に立った使用者から見た方向を指すものとする。図１は、本発明の第一実施形態に係る洗面化粧台の外観を示す斜視図である。図２は、図１の洗面化粧台における化粧台の平面図である。図３は、図１の洗面化粧台における中央鏡ブロックの後扉を示す斜視図である。図４は、図１の洗面化粧台における中央鏡ブロックの使用状態を示す平面図である。図５は、本発明の第二実施形態に係る洗面化粧台における中央鏡ブロックの後扉を示す斜視図である。図６は、本発明の第二実施形態に係る洗面化粧台における中央鏡ブロックの使用状態を示す平面図である。図７は、本発明の第三実施形態に係る洗面化粧台における中央鏡ブロックの後扉を示す斜視図である。図８は、本発明の第三実施形態に係る洗面化粧台における中央鏡ブロックの使用状態を示す平面図である。図９は、本発明の第四実施形態に係る洗面化粧台の外観を示す斜視図である。
【００２１】
図１に示す洗面化粧台１は、洗面台２と化粧台３とからなる。洗面台２は、シンク５、カラン６、収納部７を備えた一般的なものである。
【００２２】
化粧台３は洗面台２の上に設置されている。化粧台３は、化粧台本体１０の前面に中央鏡１５および左右のサイド鏡１６，１７からなる三面鏡が設けられたものである。三面鏡の上部であって化粧台本体１０の前面には照明装置１８が設けられている。また、右サイド鏡１７の下方には、スイッチ類１９が設置されており、照明スイッチや後述する曇り止め用電熱線のスイッチ並びに電源コンセント等が配置されている。
【００２３】
図２に示す様に、化粧台本体１０には物品を収納できる３つの凹部、すなわち、左凹部２１、右凹部２２、および中央凹部（凹部）２５が前面に設けられている。そして、中央凹部２５は中央鏡１５を前面に備える中央鏡ブロック２６で覆われている。なお、左右凹部２１，２２が左右サイド鏡１６，１７を備える同様の鏡ブロックで覆われている。中央鏡１５は中央鏡ブロック２６の前面、具体的には、後述する前扉２８の前面に装着されている。中央鏡１５には曇り止め用の熱電線が装着されており、配線３７を介して電流が供給されている。
【００２４】
中央鏡ブロック２６は、前扉２８と後扉３０とがヒンジ１２を介して連結された構造を有している。前扉２８は中央鏡１５を保持するための板体である。一方、後扉３０は内部に物品を収納可能な枠体であり、ヒンジ１２を介して前扉２８と連結されている。すなわち、前扉２８の左側背面端部と後扉３０の左側前面端部とがヒンジ１２を介して連結されており、前扉２８と後扉３０とは略０度（折り畳まれた状態）から略１８０度（完全に広げた状態）の角度をなすことができる。
【００２５】
図３に示す様に、後扉３０は枠部３１と、底部３２と、中間棚３３とを有する。底部３２と中間段３３の上には物品を載置することができ、後扉３０の内部は収納スペースとして機能している。また、載置した物品の落下を防止するために、底部３２の前面側と背面側に落下防止部材３５ａ，３５ｂ、中間棚３３の前面側と背面側に落下防止部材３６ａ、３６ｂが設けられている。さらに、中央鏡２５に装着された熱電線に電流を供給する配線３７が、前面左上端部から背面右上端部に渡って設けられている。後扉３０は枠体でありその前面と背面の両方が開放した構造であるので、前扉２８側と化粧台本体１０側の両方から底部３２と中間段３３からなる収納スペースにアクセスすることができる。
【００２６】
後扉３０と化粧台本体１０はヒンジ１３を介して連結されている。すなわち、後扉３０の右側背面端部がヒンジ１３を介して化粧台本体１０に連結されており、後扉３０が開閉可能に中央凹部２５を覆うことができる。
【００２７】
中央鏡２５に装着された熱電線につながる配線３７は、ヒンジ１２，１３の近傍に沿うように設けられている。これにより、配線３７の設置が前扉２８と後扉３０の開閉方向に影響されることなく容易に行われている。
【００２８】
本実施形態の洗面化粧台１の使用状態は図４に示すとおりとなる。すなわち、前扉２８を開けて後扉３０から離反させることにより、後扉３０の前面側（前扉２８の背面側）から後扉３０の内部に載置された物品３８を出し入れすることができる（図４の矢印Ａ）。また、後扉３０を開けて化粧台本体１０から離反させることにより、後扉３０の背面側（洗面台本体１０の前面側）から後扉３０の内部に載置された物品３８を出し入れすることができ（図４の矢印Ｂ）、且つ中央凹部２５に収納された物品３９を出し入れすることができる（図４の矢印Ｃ）。使用者は、目的に応じて前扉２８と後扉３０との角度、並びに、後扉３０と化粧台本体１０との角度を自由に変えて使用することができる。なお、本実施形態では熱電線につながる配線３７がヒンジ１２，１３の近傍を沿うように設けられているので、前記した角度を自由に変えても問題はない。
【００２９】
上記した実施形態（第一実施形態）では、後扉３０が内部に物品を収納可能な枠体であるが、後扉３０として内部に物品を収納しない単なる枠体を採用してもよい。この場合には、前扉２８、後扉３０のいずれを開けたときでも、中央凹部２５に収納された物品３９を枠体内部を通じて出し入れすることができる。
【００３０】
第一実施形態では後扉３０が枠体であるが、箱体を採用することもできる。本発明の第二実施形態に係る洗面化粧台は、第一実施形態の後扉３０が図５に示す後扉５０に置き換わった構成を有し、それ以外は第一実施形態と同様の構成を有するものである。図５に示す第二実施形態に係る後扉５０は、前面側（前扉２８側）が開放し、背面側（化粧台本体１０側）が閉塞した箱体からなる。後扉５０は、第一実施形態の後扉３０と同様に、底部３２、中間棚３３を有し、底部３２の前面側に落下防止部材３５、中間棚３３の前面側に落下防止部材３６が設けられている。さらに、中央鏡２５の熱電線につながる配線３７が、前面左上端部から背面右上端部に渡って設けられている。
【００３１】
本実施形態の洗面化粧台の使用状態は図６に示すとおりとなる。すなわち、前扉２８を開けて後扉５０から離反させることにより、後扉５０の前面側（前扉２８の背面側）から後扉５０の内部に載置された物品３８を出し入れすることができる（図６の矢印Ｄ）。また、後扉５０を開けて化粧台本体１０から離反させることにより、中央凹部２５に収納された物品３９を出し入れすることができる（図６の矢印Ｅ）。本実施形態においても、使用者は、目的に応じて前扉２８と後扉５０との角度、並びに、後扉５０と化粧台本体１０との角度を自由に変えて使用することができる。なお、本実施形態でも熱電線につながる配線３７がヒンジ１２，１３の近傍を沿うように設けられているので、前記した角度を自由に変えても問題はない。
【００３２】
本実施形態では、後扉５０として一方の面が閉塞された箱体を採用しているので、物品３９をより安定に載置することができる。
【００３３】
上記した第二実施形態では、後扉として、前面側（前扉２８側）が開放し、背面側（化粧台本体１０側）が閉塞した箱体を採用しているが、逆に、前面側が閉塞し、背面側が開放した箱体を採用することもできる。本発明の第三実施形態に係る洗面化粧台は、第二実施形態の後扉５０が図７に示す後扉６０に置き換わった構成を有し、それ以外は第一、第二実施形態と同様の構成を有するものである。図７に示す第三実施形態に係る後扉６０は、前面側（前扉２８側）が閉塞し、背面側（化粧台本体１０側）が開放した箱体からなる。後扉６０は、第二実施形態の後扉５０と同様に、底部３２、中間棚３３を有し、底部３２の背面側に落下防止部材３５、中間棚３３の背面側に落下防止部材３６が設けられている。さらに、中央鏡２５の熱電線につながる配線３７が、前面左上端部から背面右上端部に渡って設けられている。
【００３４】
本実施形態の洗面化粧台の使用状態は図８に示すとおりとなる。すなわち、後扉６０を開けて化粧台本体１０から離反させることにより、後扉６０の背面側（洗面台本体１０の前面側）から後扉６０の内部に載置された物品３８を出し入れすることができ（図８の矢印Ｆ）、且つ中央凹部２５に収納された物品３９を出し入れすることができる（図８の矢印Ｇ）。なお、後扉６０の前面側（前扉２８の背面側）は閉塞されているので、この側から物品３８を出し入れすることはできない。本実施形態においても、使用者は、目的に応じて前扉２８と後扉６０との角度、並びに、後扉６０と化粧台本体１０との角度を自由に変えて使用することができる。なお、本実施形態でも熱電線につながる配線３７がヒンジ１２，１３の近傍を沿うように設けられているので、前記した角度を自由に変えても問題はない。
【００３５】
本実施形態では、第二実施形態と同様に後扉６０として一方の面が閉塞された箱体を採用しているので、物品３９をより安定に載置することができる。
【００３６】
上記した実施形態では、後扉３０，５０，６０が中央凹部２５の右側でヒンジ１３を介して連結され、後扉３０，５０，６０と前扉２８とが「くの字」をなすように開閉する構成を採用しているが、後扉３０，５０，６０が中央凹部２５の左側でヒンジ１３を介して連結され、後扉３０，５０，６０と前扉２８とが「逆くの字」をなすように開閉する構成を採用してもよい。
【００３７】
上記した実施形態では、いずれも照明に関しては照明装置１８のみが設置されている。これに対し、図９に示す第四実施形態に係る洗面化粧台７１においては、照明装置１８の下部であって中央鏡１５上に別の照明装置７２が装着されている。照明装置７２は中央鏡１５と共に移動可能であり、中央鏡１５の下方（使用者の位置）を常に照らすことができる。本実施形態によれば、照明装置１８の明かりのみでは陰となるような角度で中央鏡１５を使用しても、照明装置７２の明かりによって陰をなくすことができ、使用者は常に明るい環境下で作業をすることができる。なお、照明装置７２につながる配線についても、熱電線につながる配線と同様に、ヒンジの近傍に沿って設けることができる。
【図面の簡単な説明】
【００３８】
【図１】本発明の第一実施形態に係る洗面化粧台の外観を示す斜視図である。
【図２】図１の洗面化粧台における化粧台の平面図である。
【図３】図１の洗面化粧台における中央鏡ブロックの後扉を示す斜視図である。
【図４】図１の洗面化粧台における中央鏡ブロックの使用状態を示す平面図である。
【図５】本発明の第二実施形態に係る洗面化粧台における中央鏡ブロックの後扉を示す斜視図である。
【図６】本発明の第二実施形態に係る洗面化粧台における中央鏡ブロックの使用状態を示す平面図である。
【図７】本発明の第三実施形態に係る洗面化粧台における中央鏡ブロックの後扉を示す斜視図である。
【図８】本発明の第三実施形態に係る洗面化粧台における中央鏡ブロックの使用状態を示す平面図である。
【図９】本発明の第四実施形態に係る洗面化粧台の外観を示す斜視図である。
【符号の説明】
【００３９】
１  洗面化粧台
２  洗面台
３  化粧台
１０  化粧台本体
１２  ヒンジ
１３  ヒンジ
１５  中央鏡
１６  左サイド鏡
１７  右サイド鏡
２５  中央凹部（凹部）
２６  中央鏡ブロック
２８  前扉
３０  後扉
５０  後扉
６０  後扉
７１  洗面化粧台
７２  照明装置
【図１】
2008200411.tif 000003
【図２】
2008200411.tif 000004
【図３】
2008200411.tif 000005
【図４】
2008200411.tif 000006
【図５】
2008200411.tif 000007
【図６】
2008200411.tif 000008
【図７】
2008200411.tif 000009
【図８】
2008200411.tif 000010
【図９】
2008200411.tif 000011